(57)【特許請求の範囲】
【請求項１】
第１の成分と第２の成分とを含む検体試料が注入される第１のチャンバーを有する分析用ディスクと、前記分析用ディスクを回転させ、前記第１のチャンバー内で前記検体試料の前記第１の成分と前記第２の成分とを互いに遠心分離させる駆動器と、前記分析用ディスクの径方向に対して移動でき、光ビームを前記分析用ディスクに照射し、かつ前記第１のチャンバー内の前記検体試料からの光を検出する光学ユニットと、前記光学ユニットからの前記光に基づいて、前記第１のチャンバー内で遠心分離した前記第１の成分と前記第２の成分との境界を検出する制御回路と、を有する分析装置と、を備え、前記制御回路は前記境界が前記分析用ディスクの前記径方向の所定の範囲内に位置するか否かを判断する、分析システム。
【請求項２】
前記駆動器が前記分析用ディスクを回転させている時に、前記制御回路は前記境界が前記分析用ディスクの前記径方向の所定の範囲内に位置するか否かを判断する、請求項１に記載の分析システム。
【請求項３】
前記分析用ディスクは前記範囲を示すアドレス情報を含むトラックをさらに有し、前記光学ユニットは前記トラックを検出し、前記制御回路は前記検出されたトラックから前記範囲を決定する、請求項１に記載の分析システム。
【請求項４】
前記分析用ディスクは前記範囲を示すマーキングを有し、前記光学ユニットは前記マーキングを検出し、前記制御回路は前記検出されたマーキングから前記範囲を決定する、請求項１に記載の分析システム。
【請求項５】
前記分析用ディスクは前記範囲を示すバーコードを有し、前記光学ユニットは前記バーコードを読み取り、前記制御回路は前記読み取られたバーコードから前記範囲を決定する、請求項１に記載の分析システム。
【請求項６】
前記分析用ディスクは、前記第１の成分が導入されて、前記導入された前記第１の成分を分析するための第２のチャンバーと、前記第１のチャンバーと前記第２のチャンバーとを結合する毛細管と、をさらに有し、前記制御回路は前記境界の位置から、前記第２のチャンバーに導入された前記第１の成分の量が所定量に達しているか否かを判断する、請求項１に記載の分析システム。
【請求項７】
前記制御回路は、前記駆動器が前記分析用ディスクを回転させている時に前記境界が前記範囲内に存在すると判断した場合に、前記分析用ディスクの回転を停止する、請求項１記載の分析システム。
【請求項８】
第１の成分と第２の成分とを含む検体試料が注入される第１のチャンバーを有する分析用ディスクを装着できる分析装置であって、前記分析用ディスクを回転させ、前記第１のチャンバー内で前記検体試料の前記第１の成分と前記第２の成分とを互いに遠心分離させる駆動器と、前記分析用ディスクの径方向に対して移動でき、光ビームを前記分析用ディスクに照射し、かつ前記第１のチャンバー内の前記検体試料からの光を検出する光学ユニットと、前記光学ユニットからの前記光に基づいて、前記第１のチャンバー内で遠心分離した前記第１の成分と前記第２の成分との境界を検出する制御回路と、を備え、前記制御回路は前記境界が前記分析用ディスクの前記径方向の所定の範囲内に位置するか否かを判断する、分析装置。
【請求項９】
前記駆動器が前記分析用ディスクを回転させている時に、前記制御回路は前記境界が前記分析用ディスクの前記径方向の所定の範囲内に位置するか否かを判断する、請求項８に記載の分析装置。
【請求項１０】
前記分析用ディスクは前記範囲を示すアドレス情報を含むトラックをさらに有し、前記光学ユニットは前記トラックを検出し、前記制御回路は前記検出されたトラックから前記範囲を決定する、請求項８に記載の分析装置。
【請求項１１】
前記分析用ディスクは前記範囲を示すマーキングを有し、前記光学ユニットは前記マーキングを検出し、前記制御回路は前記検出されたマーキングから前記範囲を決定する、請求項８に記載の分析装置。
【請求項１２】
前記分析用ディスクは前記範囲を示すバーコードを有し、前記光学ユニットは前記バーコードを読み取り、前記制御回路は前記読み取られたバーコードから前記範囲を決定する、請求項８に記載の分析装置。
【請求項１３】
前記分析用ディスクは、前記第１の成分が導入されて、前記導入された前記第１の成分を分析するための第２のチャンバーと、前記第１のチャンバーと前記第２のチャンバーとを結合する毛細管と、をさらに有し、前記制御回路は前記境界の位置から、前記第２のチャンバーに導入された前記第１の成分の量が所定量に達しているか否かを判断する、請求項８に記載の分析装置。
【請求項１４】
前記制御回路は、前記駆動器が前記分析用ディスクを回転させている時に前記境界が前記範囲内に存在すると判断した場合に、前記分析用ディスクの回転を停止する、請求項８に記載の分析装置。
【請求項１５】
第１の成分と第２の成分とを含む検体試料が注入されるチャンバーと、アドレス情報を記録するトラックと、を備え、回転することで、前記チャンバー内で前記検体試料の前記第１の成分と前記第２の成分とを互いに遠心分離させ、前記アドレス情報は前記チャンバー内で正常に遠心分離した前記第１の成分と前記第２の成分との境界が存在する範囲を示す分析用ディスク。
【請求項１６】
第１の成分と第２の成分とを含む検体試料が注入されるチャンバーと、マーキングと、を備え、回転することで、前記チャンバー内で前記検体試料の前記第１の成分と前記第２の成分とを互いに遠心分離させ、前記マーキングは前記チャンバー内で正常に遠心分離した前記第１の成分と前記第２の成分との境界が存在する範囲を示す分析用ディスク。
【請求項１７】
第１の成分と第２の成分とを含む検体試料が注入されるチャンバーと、バーコードと、を備え、回転することで、前記チャンバー内で前記検体試料の前記第１の成分と前記第２の成分とを互いに遠心分離させ、前記バーコードは前記チャンバー内で正常に遠心分離した前記第１の成分と前記第２の成分との境界が存在する範囲を示す分析用ディスク。
【発明の詳細な説明】
【技術分野】
【０００１】
本発明は、血液などの検体試料を遠心分離し、分離された後の試料からその特定成分を分析する分析装置およびそれに使用する分析用ディスク、その分析装置と分析用ディスクを備えた分析システムに関する。
【背景技術】
【０００２】
特表平１０―５０４３９７号公報には、オーディオまたはビデオ情報が記録されたコンパクトディスク等の光ディスクとこれを再生する光ディスクドライブとを用いて、検体試料が配置された光ディスクのトラック上をトレースして検体試料の特定成分を分析する従来の分析装置を開示している。
【０００３】
図８は従来の分析装置に用いられる分析用ディスク１１００の上面図である。ディスク１１００は、オーディオまたはビデオ情報を記録する従来の光ディスクの規格に沿って形成されており、ピットやグルーブなどで形成されるアドレス情報を有するトラック１１０１を備えている。
【０００４】
分析用ディスク１１００には、遠心分離チャンバー１１０２と定量チャンバー１１０３とオーバーフローチャンバー１１０５と分析チャンバー１１０４とが形成されている。遠心分離チャンバー１１０２は血液などの検体試料が注入される注入口１１０８を有し、中で注入された検体試料が遠心分離される。定量チャンバー１１０３には遠心分離された後の検体試料中の成分を所定量だけ採取される。オーバーフローチャンバー１１０５は定量チャンバー１１０３で余った検体試料を格納する。分析チャンバー１１０４では定量チャンバー１１０３からの検体試料が分析される。これらのチャンバーは微小な流路である毛細管１１０９で接続されている。分析チャンバー１１０４には、例えば検体試料との呈色反応を調べるための試薬を格納できる。
【０００５】
特開２００３−２７０１２８号公報に開示されているように、各チャンバーの位置は、分析用ディスク１１００の外周縁上に印刷などで形成されたトリガーパターン１１０６、１１０７との位置関係から分析装置により特定できる。トリガーパターン１１０６は遠心分離チャンバー１１０２の位置を特定するために用いられ、トリガーパターン１１０７は定量チャンバー１１０３及び分析チャンバー１１０４の位置を特定するために用いられる。
【０００６】
分析用ディスク１１００には、このような各チャンバーとトリガーパターンとでそれぞれ構成された４つの組が円周上に分散して配置されている。分析用ディスク１１００は、各チャンバーを形成した基板を、アドレス情報が記録されたトラックを有するディスク上に貼り合わせて作成できる。
【０００７】
図９は分析用ディスク１１００を使用する従来の分析装置の構成図である。分析装置は、従来の光ディスク装置の構成を有しており、すなわちディスク１１００にレーザを照射する光ピックアップ１０２０と、光ピックアップを移動させるトラバースモータ１０２１と、ディスク１１００を回転させるスピンドルモータ１０２２と、これらを制御するサーボコントロール回路１０２４と、光ピックアップ１０２０からの信号をデータに変換する信号処理回路１０２５と、これらの回路を制御する制御回路１０２３とを備える。光検出器１０１１は、光ピックアップ１０２０から照射されてディスク１１００を透過したレーザを検出する。検出されたレーザに応じた信号はアナログ／デジタル（Ａ／Ｄ）変換器１０１３によりデジタルデータに変換される。そのデジタルデータは信号処理回路１０１４で処理され、ＲＡＭ１０１６で保存される。制御回路１０１５は信号処理回路１０１４やＲＡＭ１０１６を制御する。フォトセンサ１０１７はディスク１１００に設けられたトリガーパターン１１０６、１１０７を検出する。
【０００８】
次に、分析用ディスク１１００と上記の分析装置の動作を検体試料として血液を用いる例で説明する。分析用ディスク１１００の注入口１１０８より検体試料である血液を注入する。分析用ディスク１１００を分析装置に入れ、分析装置は従来の光ディスク装置で行われるディスク判別、フォーカス調整、トラッキング調整などのスピンアップ処理を行い、分析用ディスク１１００に設けられたトラック１１０１をトレース可能な状態とする。
【０００９】
まず検体試料中の分析したい成分とそれ以外の成分を分離する遠心分離処理を行う。検体試料である血液は分析用ディスク１１００の遠心分離チャンバー１１０２内に存在し、所定の回転数で所定の時間だけ分析用ディスク１１００を回転させることで血球成分と血漿成分に遠心分離される。そのうちの血漿成分を用いて、コレステロール、グルコースなどのレベルをモニタすることができる。
【００１０】
遠心分離処理が終了すると分析用ディスク１１００の回転を停止させる。分析用ディスク１１００を停止させると、遠心分離チャンバー１１０２内で分離されてディスクの内周側に位置する分析したい成分である血漿が毛細管現象によって毛細管１１０９を通って定量チャンバー１１０３に移送されて収集される。収集された血漿成分を定量するために再び所定の回転数で所定の時間だけ分析用ディスク１１００を回転させた後、分析用ディスク１１００の回転を停止させる。回転が停止すると分析したい血漿成分が毛細管現象によって定量チャンバー１１０３から分析チャンバー１１０４へ移送が始まり、再び回転させると分析したい血漿成分がすべて分析チャンバー１１０４内に配置された試薬等と反応する。
【００１１】
これらの処理が終了すると分析チャンバー１１０４が配置された径方向の位置に光ピックアップ１０２０を移動させ、光ピックアップ１０２０は移動した場所から分析用ディスク１１００のトラック１１０１をトレースする。次いで、分析用ディスク１１００に設けられているトリガーパターン１１０７をフォトセンサ１０１７で検出する。トリガーパターン１１０７をフォトセンサ１０１７で検出してから所定の時間だけ、光ピックアップ１０２０から分析チャンバー１１０４を透過する光を光検出器１０１１で検出し、検出した光に応じた信号をＡ／Ｄ変換器１０１３でデジタルデータに変換し、そのデータをＲＡＭ１０１６に保存する。保存したデータを元に検体試料である血液の血漿成分のコレステロール、グルコースなどのレベルをモニタでき、分析結果を得ることができる。
【００１２】
従来の分析装置においては、遠心分離中や遠心分離後において、検体試料中の分析したい成分とそれ以外の成分、すなわち血液中の血漿成分と血球成分とが遠心分離チャンバー１１０２内で分離されたかどうかは確認していない。分析したい成分とそれ以外の成分が正常に遠心分離されないと、本来分離されるべき分析の妨げとなる成分が定量チャンバー１１０３や分析チャンバー１１０４に流入する。また血液の血漿成分と血球成分が遠心分離できていない場合には、遠心分離チャンバー１１０２と定量チャンバー１１０３を繋ぐ毛細管１１０９が血球成分により目詰まりをおこす場合がある。この場合には、血漿成分の必要とされる所定量を定量チャンバー１１０３に収集できず、高い精度で血漿成分を分析できない。
【発明の開示】
【００１３】
分析システムは分析用ディスクと分析装置とを備える。分析用ディスクは第１の成分と第２の成分とを含む検体試料が注入されるチャンバーを有する。分析装置は、分析用ディスクを回転させ、チャンバー内で検体試料の第１の成分と第２の成分とを互いに遠心分離させる駆動器と、分析用ディスクの径方向に対して移動でき、光ビームを分析用ディスクに照射し、かつチャンバー内の検体試料からの光を検出する光学ユニットと、光学ユニットからの光に基づいて、チャンバー内で遠心分離した第１の成分と第２の成分との境界を検出する制御回路とを有する。
【００１４】
この分析システムは遠心分離処理における分離状態を確認でき、高い精度で検体試料を分析できる。
【発明を実施するための最良の形態】
【００１５】
（実施の形態１）
図１は本発明の実施の形態１における分析用ディスク１００の上面図である。
【００１６】
ディスク１００は、オーディオまたはビデオ情報を記録する従来の光ディスクの規格に沿って形成されており、ピットやグルーブなどで形成されるアドレス情報を有するトラック１０１を備えている。
【００１７】
分析用ディスク１００には、遠心分離チャンバー１０２と定量チャンバー１０３とオーバーフローチャンバー１０５と分析チャンバー１０４とが形成されている。遠心分離チャンバー１０２は血液などの検体試料が注入される注入口１０８を有し、中で注入された検体試料が遠心分離される。定量チャンバー１０３には遠心分離された後の検体試料中の成分を所定量だけ採取される。オーバーフローチャンバー１０５は定量チャンバー１０３で余った検体試料を格納する。分析チャンバー１０４では定量チャンバー１０３からの検体試料が分析される。これらのチャンバーは微小な流路である毛細管１０９Ａ、１０９Ｂ、１０９Ｃで接続されている。分析チャンバー１０４には、例えば検体試料との呈色反応を調べるための試薬を格納できる。
【００１８】
各チャンバーの位置は、分析用ディスク１００の外周縁上に印刷などで形成されたトリガーパターン１０６、１０７との位置関係から分析装置により特定できる。トリガーパターン１０６は遠心分離チャンバー１０２の位置を特定するために用いられ、トリガーパターン１０７は定量チャンバー１０３及び分析チャンバー１０４の位置を特定するために用いられる。
【００１９】
分析用ディスク１００には、このような各チャンバーとトリガーパターンとでそれぞれ構成された４つの組が円周上に分散して配置されている。分析用ディスク１００は、各チャンバーを形成した基板を、アドレス情報が記録されたトラックを有するディスク上に貼り合わせて作成できる。
【００２０】
図５は、実施の形態１による分析システムの、分析用ディスク１００を使用する分析装置３００の構成図である。分析装置３００は、従来の光ディスク装置の構成を有しており、すなわちディスク１００に光ビームであるレーザを照射する光ピックアップ２０と、光ピックアップを移動させるトラバースモータ２１と、ディスク１００を回転させるスピンドルモータ等の駆動器２２と、これらを制御する制御回路２３と、サーボコントロール回路２４と、光ピックアップ２０からの信号をデータに変換する信号処理回路２５とを備える。光検出器１１は、光ピックアップ２０から照射されてディスク１００を透過したレーザを検出する。検出されたレーザに応じた信号はアナログ／デジタル（Ａ／Ｄ）変換器１３によりデジタルデータに変換される。そのデジタルデータは信号処理回路１４で処理され、ＲＡＭ１６に保存される。制御回路１５は信号処理回路１４やＲＡＭ１６を制御する。フォトセンサ１７はディスク１００に設けられたトリガーパターン１０６、１０７を検出する。レーザをディスク１００に照射する光ピックアップ２０とディスク１００からの光を検出する光検出器１１は光学ユニットを形成する。
【００２１】
分析用ディスク１００と分析装置３００で、血液を検体試料として、血液の血漿成分を分析する方法を説明する。
【００２２】
図２Ａは実施の形態１における分析用ディスク１００の拡大上面図である。まず、分析用ディスク１００の注入口１０８より血液２００を注入し遠心分離チャンバー１０２に満たす。そしてディスク１００を分析装置３００に挿入し、分析装置３００は従来の光ディスク装置で行われるスピンアップ処理を行い、分析用ディスク１００に設けられたトラック１０１をトレース可能な状態とする。
【００２３】
この後、所定の回転数で所定の時間だけ分析用ディスク１００を回転させる。所定の時間だけ分析用ディスク１００を回転させた後、分析用ディスク１００の径方向Ｄ１に、分析装置３００の光ピックアップ２０を移動させて、遠心分離チャンバー１０２で方向２０３にトラック１０１のトレースを開始する。
【００２４】
光検出器１１は光ピックアップ２０から出てディスク１００を通過した光を受けてそれに応じた信号を出力する。トラック１０１のトレース中に、トリガーパターン１０６をフォトセンサ１７で検出してから所定の時間だけ光検出器１１が出力する信号をＡ／Ｄ変換器１３でデジタルデータに変換し、そのデータをＲＡＭ１６に保存する。このように分析用ディスク１００が回転するごとに遠心分離チャンバー１０２からのデータが取り込まれる。保存されたデータを取得した分析用ディスク１００の位置はトラック１０１に含まれるアドレス情報で判断され、その位置は光検出器１１で検出した光のデータと同時にＲＡＭ１６に保存される。
【００２５】
図２Ｂは実施の形態１における分析用ディスク１００の拡大上面図である。所定の回転数で所定の時間だけ分析用ディスク１００を回転させ、その回転を維持した状態で遠心分離チャンバー１０２内では、血漿成分２０１と血球成分２０２が分離している。この状態で、遠心分離チャンバー１０２が位置するトラック１０１を上述のようにトレースし、アドレス情報と光検出器１１で得られたデータを取得する。
【００２６】
血球成分の有無により遠心分離チャンバー１０２を透過する光の光量が異なるので、光検出器１１で得られたデータは血漿成分２０１と血球成分２０２が存在するそれぞれの位置で明らかに異なる。制御回路１５はこのデータが明らかに変化する位置のアドレス情報に対応する位置を血漿成分２０１と血球成分２０２の境界２０４として検出し、この境界２０４により遠心分離の良否を判断する。
【００２７】
境界２０４を検出するためには、遠心分離チャンバー１０２の位置するトラック１０１を順次トレースしてもよいが、遠心分離チャンバー１０２の位置するトラック１０１を部分的にトラックジャンプすることによりトレースしてもよく、これにより、より効率的に血漿成分２０１と血球成分２０２の境界２０４を検出できる。
【００２８】
分析用ディスク１００において血漿成分２０１と血球成分２０２の境界２０４のディスク１００の径方向の範囲を所定の基準範囲として予め設定する。制御回路１５は境界２０４が所定の基準範囲内に存在すれば遠心分離処理が正常に終了したと判断し、境界２０４が基準範囲外であれば遠心分離処理が不十分、あるいは異常であると判断できる。この基準範囲は、分析用ディスク１００のトラック１０１に、基準範囲に対応したアドレス情報として記録できる。
【００２９】
基準範囲は以下のように決定できる。遠心分離チャンバー１０２と毛細管１０９Ａが接続されているポイント１０２Ａの近傍に血球成分２０２が存在した状態で遠心分離を終了すると、定量チャンバー１０３に血球成分２０２が移送される可能性がある。このため遠心分離時における血漿成分２０１と血球成分２０２の境界２０４は、ポイント１０２Ａより分析用ディスク１００の径方向Ｄ１においてディスク１００の外周１００Ａに近い必要がある。
【００３０】
したがって、図２Ｂにおいて、ポイント１０２Ａより外周１００Ａに近い領域を基準範囲として設定してトラック１０１にアドレス情報として記録しておく。そして境界２０４より外周１００Ａに近いポイント１０２Ｂ付近を走査して得られる光検出器１１からのデータが、血漿成分２０１を通過する光に対応するデータから血球成分２０２を通過する光に対応するデータに変化する。制御回路１５は、ポイント１０２Ｂを血漿成分２０１と血球成分２０２の境界２０４と判断し、境界２０４が基準範囲に入っていることを検出することで良好に遠心分離ができたと判断する。
【００３１】
以下、遠心分離の様々な状態における良否判断について具体的に説明する。図３Ａと図３Ｂは分析用ディスク１００の拡大上面図である。図３Ａでは、血液が分離しにくい場合に、所定の時間遠心分離を行っても血漿成分２０１と血球成分２０２が十分分離していない。このとき検出される血漿成分２０１と血球成分２０２の境界２０４Ａは、遠心分離チャンバー１０２と毛細管１０９Ａが接続されているポイント１０２Ａより分析用ディスク１００の径方向Ｄ１で内周１００Ｂに近い、すなわち、所定の基準範囲外なので、制御回路１５は遠心分離が不十分であると判断できる。この場合、制御回路１５は遠心分離時間を延長するか遠心分離を行う回転数を変更し、再度遠心分離の状態を確認する。
【００３２】
図３Ｂでは、遠心分離チャンバー１０２に注入された血液の血球成分２０２が極端に少ない。この状態は遠心分離において遠心分離チャンバー１０２から血液２００が流出した場合や、遠心分離チャンバー１０２に注入した血液２００が少ない場合に起こる。このような場合では、血漿成分２０１と血球成分２０２の境界２０４Ｂはポイント１０２Ａより外周１００Ａに近いが、ポイント１０２Ａにおいて光検出器１１で得られたデータが血漿成分２０１に対応するデータと異なるので、制御回路１５は境界２０４Ｂが所定の基準範囲の外であり、遠心分離が異常であると判断する。この場合、正常な分析結果は得られないので、制御回路１５は遠心分離が異常であると判断した時点で分析を終了する。
【００３３】
図４は実施の形態１における他の分析用ディスク４００の拡大上面図である。所定の基準範囲を示す情報は、分析用ディスク４００のトラック１０１にアドレス情報として記録するほか、分析用ディスク４００上に印刷などで形成したマーキング２１０をアドレス情報として配置してもよい。遠心分離チャンバー１０２の位置を示すトリガーパターン１０６はフォトセンサ１７で検出する。この検出の後で所定の時間経過した時点で光検出器１１がマーキング２１０を検出した場合に、制御回路１５はその所定の時間の間に光検出器１１からえられたデータが所定の基準範囲内のデータであると判断することができる。そして、制御回路１５は得られたデータから血漿成分２０１と血球成分２０２の境界２０４があるかどうかを判断し、遠心分離状態を確認できる。
【００３４】
遠心分離処理が終了すると分析用ディスク４００の回転を停止させる。分析用ディスク４００を停止させると、遠心分離チャンバー１０２内で分離されてディスクの内周側に位置する分析したい成分である血漿が毛細管現象によって毛細管１０９Ａを通って定量チャンバー１０３に移送されて収集される。収集された血漿成分を定量するために再び所定の回転数で所定の時間だけ分析用ディスク４００を回転させた後、分析用ディスク４００の回転を停止させる。回転が停止すると分析したい血漿成分が毛細管現象によって定量チャンバー１０３から分析チャンバー１０４に移送され、分析チャンバー１０４内に配置された試薬と反応する。
【００３５】
これらの処理が終了すると分析チャンバー１０４が配置された径方向の位置に光ピックアップ２０を移動させてディスク４００を回転させる。これにより光ピックアップ２０は移動した場所から分析用ディスク４００のトラック１０１をトレースする。次いで、分析用ディスク４００に設けられているトリガーパターン１０７をフォトセンサ１７で検出する。トリガーパターン１０７をフォトセンサ１７で検出してから所定の時間だけ、光ピックアップ２０から分析チャンバー１０４を透過する光を光検出器１１で検出し、検出した光の応じた信号をＡ／Ｄ変換器１３でデジタルデータに変換し、そのデータをＲＡＭ１６に保存する。保存したデータを元に検体試料である血液の血漿成分のコレステロール、グルコースなどのレベルをモニタでき、分析結果を得ることができる。
【００３６】
遠心分離チャンバー１０２内において遠心分離を行った際に、制御回路１５は分析チャンバー１０４に導入される血液２００中の血漿の量が所定量に達しているか否かを境界２０４の位置から検出できる。
【００３７】
このように、実施の形態１による分析装置３００では制御回路１５が遠心分離処理における分離状態を確認し、正常に分離しているかどうかを判断することで、分析したい成分が正常に定量チャンバー１０３に収集できないことや、分析したい成分以外の成分が定量チャンバー１０３に移送されることを防ぐことができる。
【００３８】
遠心分離を行っている間に定期的に遠心分離状態を確認するようにすることで、所定の回転数で所定の時間だけ遠心分離を続けるのではなく、制御回路１５は血漿成分２０１と血球成分２０２の境界２０４が所定の基準範囲に入った時点で遠心分離を終了できる。これにより、遠心分離の時間を短縮できる。
【００３９】
遠心分離チャンバー１０２に注入する血液２００の容積を定めておき、遠心分離と境界２０４を検出することで血漿成分２０１の容積と血球成分２０２の容積を算出でき、血液２００のマトクリットの測定ができる。
【００４０】
分析装置３００では、遠心分離チャンバー１０２を透過した光から血液２００の血漿成分２０１と血球成分２０２との境界２０４を検出したが、光ピックアップ２０から出て遠心分離チャンバー１０２で反射した光から境界２０４を検出しても良い。
【００４１】
実施の形態１では検体試料として血液を用いたが、検体試料は汚水のレベルの測定等、他の遠心分離で分析する液体に同様に実施の形態１の分析装置３００、分析用ディスク１００、４００を使用できる。
【００４２】
（実施の形態２）
図６は、実施の形態２における分析用ディスク５００の上面図である。図７は、実施の形態２における分析装置６００の構成図である。分析用ディスク５００は、図１に示す実施の形態１による分析用ディスク１００のトラック１０１の代わりに、バーコード１１０を備える。また、分析装置６００は、図５に示す実施の形態１による分析装置３００に位置検出用スイッチ３０とバーコードデコード回路３１を追加し、制御回路１５と異なる機能を有する制御回路１５Ａを備える。また、実施の形態１と同様の構成については、同じ符号を付して説明を略する。
【００４３】
バーコード１１０は、遠心分離チャンバー１０２にて遠心分離が正常に行われたかどうかを判断するために必要な基準となる情報を記録している。また、ディスク５００の径方向Ｄ２に沿って遠心分離チャンバー１０２の位置に光ピックアップ２０を移動させる場合、位置検出用スイッチ３０を基準位置として光ピックアップ２０を移動し、移動した位置から光ピックアップ２０を所定の移動量だけさらに移動させながらディスク５００をトレースする。
【００４４】
まず、遠心分離チャンバー１０２に血液が注入された分析用ディスク５００を分析装置６００に挿入し、分析用ディスク５００を回転させる。分析用ディスク５００を回転させた状態で、分析用ディスク５００の特定の位置に配置されたバーコード１１０の位置に光ピックアップ２０を移動させ、光検出器１１で検出された信号をバーコードデコード回路３１がデータに変換してバーコード１１０に記録されている情報を取得する。取得した情報の一部は、分析用ディスク５００に配置された遠心分離チャンバー１０２の位置や、遠心分離が正常に行われたかどうかを判断するために血漿成分と血球成分との境界の所定の基準範囲を含む。
【００４５】
遠心分離チャンバー１０２の位置は位置検出用スイッチ３０からの距離で定められ、この位置を元に光ピックアップ２０を遠心分離チャンバー１０２に移動させる。移動後は、分析用ディスク５００の１回転毎に光ピックアップ２０を所定の間隔で移動させながら遠心分離チャンバー１０２が配置された部分を光ピックアップがトレースする。
【００４６】
実施の形態１と同様に、トレース中に分析用ディスク５００のトリガーパターン１０６をフォトセンサ１７が検出すると、所定の時間だけ光検出器１１で検出した信号をＡ／Ｄ変換器１３がデジタルデータに変換し、そのデータをＲＡＭ１６に保存する。このように、分析用ディスク５００が回転するごとに遠心分離チャンバー１０２からの情報が取り込まれる。保存されたデータが取り込まれた分析用ディスク５００の位置は、位置検出用スイッチ３０から光ピックアップ２０を移動させた距離で検出する。この距離と、光検出器１１でえられたデータがＲＡＭ１６に保存される。光ピックアップ２０を移動させるトラバースモータ２１は、ステッピングモータ等の、指定した移動量だけ移動できるモータが望ましい。
【００４７】
分析用ディスク５００と分析装置６００は、実施の形態１によるディスク１００と分析装置３００と同様に遠心分離状態を確認でき、血漿成分と血球成分の境界を検出し、境界が存在するべき基準範囲を決定する。
【産業上の利用可能性】
【００４８】
本発明による分析システムでは遠心分離処理における分離状態を確認でき、高い精度で試料を分析できる。
【図面の簡単な説明】
【００４９】
【図１】本発明の実施の形態１における分析用ディスクの上面図
【図２Ａ】実施の形態１における分析用ディスクの拡大上面図
【図２Ｂ】実施の形態１における分析用ディスクの拡大上面図
【図３Ａ】実施の形態１における分析用ディスクの拡大上面図
【図３Ｂ】実施の形態１における分析用ディスクの拡大上面図
【図４】実施の形態１における分析用ディスクの拡大上面図
【図５】実施の形態１における分析装置の構成図
【図６】本発明の実施の形態２における分析用ディスクの上面図
【図７】実施の形態２における分析装置の構成図
【図８】従来の分析用ディスクの上面図
【図９】従来の分析装置の構成図
【符号の説明】
【００５０】
１１    光検出器
１５    制御回路
１５Ａ    制御回路
１７    フォトセンサ
２０    光ピックアップ
２１    トラバースモータ
２２    駆動器
３０    位置検出用スイッチ
１００    分析用ディスク
１０１    トラック
１０２    遠心分離チャンバー（第１のチャンバー）
１０３    定量チャンバー
１０４    分析チャンバー（第２のチャンバー）
１０５    オーバーフローチャンバー
１０６    トリガーパターン
１０７    トリガーパターン
１０８    注入口
１０９Ａ    毛細管
１０９Ｂ    毛細管
１０９Ｃ    毛細管
１１０    バーコード
２００    血液（検体試料）
２０１    血漿成分（第１の成分）
２０２    血球成分（第２の成分）
２０３    トレース方向
２１０    マーキング
３００    分析装置
４００    分析用ディスク
５００    分析用ディスク
６００    分析装置
【図１】
0004665902.tif 000002
【図２Ａ】
0004665902.tif 000003
【図２Ｂ】
0004665902.tif 000004
【図３Ａ】
0004665902.tif 000005
【図３Ｂ】
0004665902.tif 000006
【図４】
0004665902.tif 000007
【図５】
0004665902.tif 000008
【図６】
0004665902.tif 000009
【図７】
0004665902.tif 000010
【図８】
0004665902.tif 000011
【図９】
0004665902.tif 000012